(57)【要約】【課題】生化学解析において、正しい解析結果を安価で得る。【解決手段】生化学解析用ユニットに付された識別マークの画像に基づく識別子を用いることにより生化学解析用ユニットの識別処理を管理手段に集中させ、各処理工程での処理条件および処理によって生じた情報を互いに関連付けて次工程の処理条件を決定する生化学解析システム。【選択図】　　　　　図１
2004144631.tif 000002
【特許請求の範囲】
【請求項１】
生体由来の物質と特異的に結合可能で、かつ、構造または特性が既知の複数の種類の特異的結合物質を、基板上の異なる位置にそれぞれ固定して複数の固定領域を形成することにより生化学解析用ユニットを生成するスポッティング手段と、
前記スポッティング手段により生成された前記生化学解析用ユニットの前記結合物質に対して、標識物質により標識された生体由来の物質を特異的に結合させる特異的結合手段と、
前記特異的結合手段により前記結合物質と特異的に結合した前記生体由来の物質を標識する前記標識物質に起因して出力される信号を検出する検出手段と、
前記スポッティング手段、前記特異的結合手段および前記検出手段に接続された管理手段とからなる生化学解析システムであって、
前記生化学解析用ユニットには撮像手段により撮像可能な識別マークが付されており、
前記スポッティング手段、前記特異的結合手段および前記検出手段は、前記生化学解析用ユニットに付された前記識別マークを撮像する撮像手段を備え、該撮像手段により撮像した前記識別マークの画像を前記管理手段に送信し、
前記管理手段は、送信された前記識別マークの画像に基づいて該識別マークが付された前記生化学解析用ユニットを識別する識別子を取得し、この識別子を処理条件とともに前記スポッティング手段、前記特異的結合手段および前記検出手段に送信し、
前記スポッティング手段および前記特異的結合手段は、前記処理条件に基づいて行われた処理によって生じた情報を前記識別子とともに前記管理手段に送信することを特徴とする生化学解析システム。
【発明の詳細な説明】
【０００１】
【発明の属する技術分野】
本発明は、標識物質により標識された生体由来の物質を生化学解析用ユニットに固定された結合物質と結合させ、標識物質に起因して出力される信号を用いて、生体由来の物質の構造または特性を解析する生化学解析システムに関するものである。
【０００２】
【従来の技術】
近年、生体由来の物質の構造または特性を解析するシステムとして、スライドガラスやメンブレンフィルタなどの担体表面の異なる位置に、細胞、ウィルス、抗体、抗原、その他のタンパク質、核酸など、生体由来の物質と特異的に結合可能で、かつ、塩基配列や塩基の長さ、組成などが既知の特異的結合物質を、スポッタ装置を用いて滴下して、多数の独立した固定領域（特異的結合物質が固定された領域、以下スポットとも称す）を形成した生化学解析用ユニットを用い、ついで、細胞、ウィルス、抗体、抗原、その他のタンパク質、核酸など、抽出、単離などによって生体から採取され、化学発光基質と接触させることによって化学発光を生じさせる酵素などの標識物質によって標識された生体由来の物質を、生化学解析用ユニット上の特異的結合物質にハイブリダイズさせて、特異的結合物質を選択的に標識し、さらに標識物質を化学発光基質と接触させ、その際放出される化学発光を光電的に検出して遺伝子情報などの生体由来の物質に関する情報を得るようにした生化学解析システムが知られている。
【０００３】
生化学解析用ユニットを用いた生化学解析においては、生化学解析用ユニットをスポッタ装置、ハイブリダイズ装置、リアクタ等の独立した装置で処理を行うに際して、生化学解析用ユニットをすべて同一条件で処理することもあるが、各処理工程での処理条件、例えば各々のスポットを形成する特異的結合物質の種類、スポットの位置パターン、ハイブリダイズの時間等が次工程の処理条件に影響を及ぼし得るため、それぞれ独立に処理条件が設定される場合もあり、この場合には生化学解析用ユニットとその処理条件とを対応付けて管理する必要がある。そのため、従来の生化学解析システムにおいては、特異的結合物質が固定された領域の位置や、特異的結合物質の種類、それぞれの処理工程における処理条件等、生化学解析に必要な情報を、バーコードやＩＣチップ等により生化学解析用ユニットに直接的にまたは間接的に持たせることにより、生化学解析用ユニット自体に記憶機能を付している（例えば、特願２００１−２０１１０３号）。なお、例えばハイブリダイズを用いて生化学解析を行うシステムとしては、例えば特許文献１が挙げられる。
【０００４】
【特許文献１】
特開平１０−２３９３００号公報
【０００５】
【発明が解決しようとする課題】
しかしながら、バーコードを用いる生化学解析システムではスポッタ装置、ハイブリダイズ装置、リアクタ等にそれぞれバーコードリーダーを設けなければならず、バーコードを読み取るバーコードリーダが高価であるため処理機器にかかるコストが高かった。またＩＣチップを用いる生化学解析システムでも、ＩＣチップをそれぞれの生化学解析用ユニットに取り付けなければならず、生化学解析用ユニットは消耗品であることから必要とするＩＣチップが多量となるため、コストが高いという問題があった。
【０００６】
上記の問題点は、化学発光法を用いた生化学解析システムに限らず、標識物質として放射性標識物質を用いた生化学解析システム、および標識物質として蛍光性標識物質を使用し励起光を照射することにより蛍光を生じさせる生化学解析システムにおいても同様であり、また化学発光法において、生体由来の物質を抗原で標識し、化学発光基質と接触させることによって化学発光を生じさせる標識物質により標識された抗体を抗原と接触させた後、化学発光基質を接触させることにより化学発光を生じさせることとした生化学解析システムにおいても同様であった。
【０００７】
本発明は、上記の事情に鑑みてなされたものであり、生化学解析用ユニットを用いる生化学解析システムにおいて、生化学解析用ユニットと各工程における処理条件との対応付けを適格に安価で行うことができる生化学解析システムを提供することを目的とするものである。
【０００８】
【課題を解決するための手段】
本発明による生化学解析システムは、生体由来の物質と特異的に結合可能で、かつ、構造または特性が既知の複数の種類の特異的結合物質を、基板上の異なる位置にそれぞれ固定して複数の固定領域を形成することにより生化学解析用ユニットを生成するスポッティング手段と、前記スポッティング手段により生成された前記生化学解析用ユニットの前記結合物質に対して、標識物質により標識された生体由来の物質を特異的に結合させる特異的結合手段と、前記特異的結合手段により前記結合物質と特異的に結合した前記生体由来の物質を標識する前記標識物質に起因して出力される信号を検出する検出手段と、前記スポッティング手段、前記特異的結合手段および前記検出手段に接続された管理手段とからなる生化学解析システムであって、前記生化学解析用ユニットには撮像手段により撮像可能な識別マークが付されており、前記スポッティング手段、前記特異的結合手段および前記検出手段は、前記生化学解析用ユニットに付された前記識別マークを撮像する撮像手段を備え、該撮像手段により撮像した前記識別マークの画像を前記管理手段に送信し、前記管理手段は、送信された前記識別マークの画像に基づいて該識別マークが付された前記生化学解析用ユニットを識別する識別子を取得し、この識別子を処理条件とともに前記スポッティング手段、前記特異的結合手段および前記検出手段に送信し、前記スポッティング手段および前記特異的結合手段は、前記処理条件に基づいて行われた処理によって生じた情報を前記識別子とともに前記管理手段に送信することを特徴とするものである。
【０００９】
ここで、「固定領域」とは、基板上の特異的結合物質が固定されている部位を意味し、本発明の説明において「スポット」と同義である。
【００１０】
また、生体由来の物質と「特異的に結合」とは、例えばＤＮＡやＲＮＡ等で見られる相補的なヌクレオチド配列の間に安定な二本鎖が形成されるような場合（ハイブリダイゼーション）や、抗原と抗体、ビオチンとアビジン等のように、特定の物質とのみ選択的に反応する極めて特異性の高い結合を意味する。
【００１１】
「基板」は、その上の異なる複数の位置に特異的結合物質を固定することができるものであればどのようなものでも良いが、例えば平板状の基板主部に多数の孔を開け、この孔に特異的結合物質を固定することができる吸着性材料を配してなるものを用いることができる。
【００１２】
「生化学解析用ユニット」とは、基板上に特異的結合物質が固定されたものを意味する。
【００１３】
基板主部は、生化学解析用ユニット内部での散乱を防止するために光を減衰させる材質により形成するのが好ましく、基板主部の材質としては、銅、銀、金、亜鉛、鉛、アルミニウム、チタン、スズ、クロム、鉄、ニッケル、コバルト、タンタル等の金属やステンレス鋼、黄銅等の合金、アルミナ、ジルコニア等のセラミックが挙げられるがこれらに限定されない。また、孔を開ける加工が容易であるプラスチックを基板主部の材質として用いる場合、そのプラスチックとしては、ポリエチレン、ポリプロピレン等のポリオレフィン、ポリスチレン、ポリメチルメタクリレート等のアクリル樹脂、ポリ塩化ビニル、ポリ塩化ビニリデン、ポリフッ化ビニリデン、ポリテトラフルオロエチレン、ポリクロロトリフルオロエチレン、ポリカーボネート、ポリエチレンナフタレートおよびポエチレンテレフタレート等のポリエステル、ナイロン−６およびナイロン−６６ナイロン、ポリイミド、ポリスルフォン、ポリフェニレンサルファイド、ポリジフェニルシロキサン等のケイ素樹脂、ノボラック等のフェノール樹脂、エポキシ樹脂、ポリウレタン、酢酸セルロースおよびニトロセルロース等のセルロース類、ブタジエン−スチレン共重合体等のコポリマー、およびこれらの組合せが挙げられるがこれらに限定されない。また、光を減衰させるために前記のプラスチックに金属酸化物粒子やガラス繊維等を充填することが好ましく、金属酸化物粒子としては、二酸化ケイ素、アルミナ、二酸化チタン、酸化鉄、酸化銅等が挙げられるがこれらに限定されない。光を減衰させる材質とは、基板主部の孔に充填された吸着性材料の表面または内部の特異的結合物質と結合した標識物質から発する光が、孔から基板主部壁を透過して隣接する孔に到達する強度を１／５以下、好ましくは１／１０以下に減衰させる性質を有する材質を意味する。
【００１４】
基板主部の厚みは、一般には５０〜１０００μｍの範囲にあり、好ましくは１００〜５００μｍの範囲にある。
【００１５】
孔の密度を高めるために、基板主部に開ける孔の開口部の面積は一般には５ｍｍ２未満であり、好ましくは１ｍｍ２未満、より好ましくは０．３　ｍｍ２未満、および最も好ましくは０．０１　ｍｍ２未満である。また、孔の開口部の面積は好ましくは０．００１　ｍｍ２以上である。
【００１６】
基板主部に開ける孔のピッチ（隣接する二つの孔の中心から中心までの距離）は、一般には０．０５〜３ｍｍの範囲にあり、孔の間隔（隣接する二つの孔の端部から端部までの最短距離）は、一般には０．０１〜１．５ｍｍの範囲にある。孔の数（密度）は、一般には１０個／ｃｍ２以上であり、好ましくは１００個／ｃｍ２以上、より好ましくは５００個／ｃｍ２以上、および最も好ましくは１０００個／ｃｍ２以上である。なお、孔は必ずしも等間隔で設けられている必要はなく、いくつかのブロック（単位）に別れてブロックごとに複数の孔が設けられていてもよい。
【００１７】
吸着性材料としては、好ましくは多孔質材料または繊維材料を用いることができる。多孔質材料と繊維材料を併用してもよい。多孔質材料は、有機多孔質材料、無機多孔質材料のいずれでもよく、有機／無機複合体でもよい。
【００１８】
有機多孔質材料としては、例えば活性炭等の炭素多孔質材料あるいはメンブレンフィルタを形成可能な多孔質材料が好ましい。メンブレンフィルタを形成可能な多孔質材料としては、セルロース誘導体（例えばニトロセルロース、再生セルロース、セルロースアセテート、酢酸セルロース、酪酸酢酸セルロース等）、脂肪族ポリアミド類（例えばナイロン−６、ナイロン−６６、ナイロン４、１０等）、ポリオレフィン類（例えばポリエチレン、ポリプロピレン等）、含塩素ポリマー類（例えばポリ塩化ビニル、ポリ塩化ビニリデン等）、フッ素樹脂類（例えばポリフッ化ビニリデン、ポリテトラフルオライド等）、ポリカーボネート、ポリスルフォン、アルギン酸およびその誘導体（例えばアルギン酸、アルギン酸カルシウム、アルギン酸／ポリリシンポリイオンコンプレックス等）、コラーゲン等、およびこれらポリマーの共重合体や複合体（混合体）が挙げられるがこれらに限定されない。
【００１９】
また、上記繊維材料としては、例えばセルロース誘導体類、脂肪族ポリアミド類等を用いることができる。
【００２０】
上記無機多孔質材料としては、例えば金属（例えば白金、金、鉄、銀、ニッケル、アルミニウム等）、金属酸化物（例えばアルミナ、シリカ、チタニア、ゼオライト等）、金属塩（例えばヒドロキシアパタイト、硫酸カルシウム等）およびこれらの複合体等を用いることができる。
【００２１】
「標識物質」としては、ジゴキシゲニン、ビオチン、アビジン、フルオロセイン等の抗原、これらの抗原に対する抗体、化学発光基質と接触させることによって化学発光を生じさせる標識物質、例えばアルカリフォスターゼ、フェロオキシダーゼ、ルシフェラーゼ等の酵素、蛍光物質や色素等の蛍光性標識物質および放射性標識物質等が用いられるがこれらに限定されず、これに起因して何らかの信号を生じさせるものであればよい。
【００２２】
化学発光基質としては、例えばアルカリフォスターゼ、フェロオキシダーゼ、およびルシフェラーゼにそれぞれ対応して、ジオキセタン、ルミノール、およびルシフェリンが用いられるがこれらに限定されない。
【００２３】
「標識物質に起因して出力される信号」としては、例えば、化学発光基質と接触させることによって化学発光を生じさせる標識物質を化学発光基質と接触させることにより生ずる化学発光、放射性標識物質による放射線を受けた輝尽性蛍光体がレーザービーム等の励起光を照射されることにより生ずる輝尽発光光、蛍光性標識物質が励起光を照射されることにより生ずる蛍光、および標識物質として抗原を使用し、化学発光基質と接触させることによって化学発光を生じさせる物質、放射性物質または蛍光性物質により標識された抗体をこの抗原に結合させた場合に、抗体を標識するこれらの物質に基づいて生ずる光が挙げられるが、これらに限定されない。
【００２４】
「撮像手段により撮像可能な識別マーク」とは、スポッティング手段、特異的結合手段および検出手段に設けられた撮像手段により画像として撮像可能なものであればどのようなものでもよく、例えば手書きの印やバーコード等を用いることができる。識別マークは生化学解析用ユニットの全体に付されてもよく、また特定の部分に付されていてもよい。識別マークとしてバーコードを用いた場合には、管理手段にバーコードリーダーを設けておき、受信したバーコードの画像からその内容を認識できるようにしてもよい。
【００２５】
「識別マークの画像に基づいて該識別マークが付された生化学解析用ユニットを識別する識別子を取得する」とは、既に識別子が付与された識別マークの画像の中に、管理手段に送信された識別マークの画像（画像が送信された識別マークを受信識別マークという）と同一の画像があるか否かを画像マッチング等の手法により判断し、同一の画像が存在する場合には、その画像の識別マークに対して付与されている識別子を求めてその識別子を受信識別マークが付された生化学解析用ユニットの識別子として取得し、同一の画像が存在しない場合には、新たに識別子を生成してその識別子を受信識別マークに付与すると共にその受信識別マークが付された生化学解析用ユニットの識別子として取得することを意味する。識別子としては、例えば番号やアルファベットが挙げられるが、各生化学解析用ユニットを識別するための識別子として機能するものであればどの様なものであっても良い。
【００２６】
なお、管理手段は、識別マークに対して新たに識別子を生成して付与した場合には、その識別マークの画像とその識別子とを対応付けて記憶しておき、識別マークの画像が送信されたら、その画像が既に識別子を付与された識別マークの画像のいずれかであるか否かを照合可能に構成されているものとする。
【００２７】
「処理条件」としては、生化学解析用ユニット上の固定領域の位置や特異的結合物質の種類等のスポッティング手段に対するスポット条件、ハイブリダイズする時間・温度やハイブリダイズバッファの種類等の特異的結合手段に対するハイブリダイズ条件、検出時間等の検出手段に対する検出条件等が挙げられるがこれに限定されない。
【００２８】
「処理条件に基づいて行われた処理によって生じた情報」としては例えば、管理手段により提供された処理条件に基づいてスポッティング手段および特異的結合手段で行われた処理における温度や処理時間等の途中経過や処理によって生じた結果等が挙げられる。
【００２９】
【発明の効果】
本発明の生化学解析システムによれば、管理手段はスポッティング手段、特異的結合手段および検出手段に備えられた撮像手段により撮像された生化学解析用ユニットに付された識別マークの画像に基づいて識別子を取得し、この識別子を処理条件とともに各手段に提供すると共に、スポッティング手段および特異的結合手段は処理によって生じた情報を識別子とともに管理手段に返送することとしたので、各工程における処理条件や処理によって生じた情報を相互に関連付けてその後の工程における処理条件を定めることができ、様々の状況に柔軟に対応し正しい解析結果を得ることができる。また本発明の生化学解析システムは、スポッティング手段、特異的結合手段および検出手段は生化学解析用ユニットに付された識別マークの画像を管理手段に送信し、管理手段が送信された画像から生化学解析用ユニットを識別する構成としたので、生化学解析用ユニットの識別処理を管理手段に集中させることができ、スポッティング手段、特異的結合手段および検出手段にそれぞれバーコードリーダー等の高価な装置を備える必要がなく、また消耗品である生化学解析用ユニットにＩＣチップ等の記憶機能を持たせる必要がなく、各処理工程の機器のコストを下げ、安価に生化学解析を行うことができる。
【００３０】
【発明の実施の形態】
以下、図面を参照して本発明による生化学解析システムの実施形態について説明する。
【００３１】
図１は、本発明による生化学解析システムの一実施の形態を示すブロック図であり、図２は本実施の形態の解析システムに用いられた生化学解析用ユニットの基板の詳細構造を示す図である。
【００３２】
図２に示すように、本実施の形態の解析システムに用いられる生化学解析用ユニットの基板１は、光を減衰させる性質を有するアルミニウムの金属板（基板主部）１１に多数の略円形の貫通孔１２が高密度に形成され、これらの多数の貫通孔１２の内部に酢酸セルロース等の多孔質材料１３が充填されてなるものである。また、基板１にはＣＣＤにより撮像可能な識別マーク１４が付されている。
【００３３】
図１に示すように、本実施の形態の生化学解析システムは、スポッタ２と、ハイブリダイズ装置（特異的結合手段）３と、ケミルミ・リアクタ４と、検出装置５と、制御部（管理手段）６とを備えている。スポッタ２は、基板１に付された識別マーク１４を撮像してその画像を取得するＣＣＤ７を備え、基板１の各々の貫通孔１２の多孔質材料１３に特異的結合物質を滴下してスポット（特異的結合物質が固定されているスポット状の固定領域）を形成し生化学解析用ユニットを生成するものである。ハイブリダイズ装置３は、ハイブリダイズされる前の生化学解析用ユニットの基板１の識別マーク１４を撮像してその画像を取得するＣＣＤ８を備え、化学発光基質と接触させることにより化学発光を生じさせる標識物質により標識された解析対象となるサンプル（生体由来の物質）を生化学解析用ユニットに投与し、生化学解析用ユニットのスポットを形成する特異的結合物質と選択的に結合させて標識する（ハイブリダイズする）ものである。ケミルミ・リアクタ４は、化学発光基質と接触する前の生化学解析用ユニットに付された識別マーク１４を撮像してその画像を取得するＣＣＤ９を備え、ハイブリダイズされた生化学解析用ユニットに化学発光基質を接触させることにより化学発光を発生させるものである。検出装置５は、ケミルミ・リアクタ４により化学発光基質を接触された生化学解析用ユニットに付された識別マーク１４を撮像してその画像を取得するＣＣＤ１０を備え、発せられた化学発光を光電的に読み取るものである。制御部６は、それぞれのＣＣＤ（撮像手段）７、８、９、１０から制御部６に送信された識別マークの画像を受信する受信機能と、受信した画像の識別マーク（受信識別マーク）に対して新たに識別マークを生成して付与した場合には、その受信識別マークの画像とその識別子とを対応付けて記憶してデータベースを作成するデータベース作成機能と、識別マークの画像を受信したら、その画像を画像処理（演算）することにより、データベース中の既に識別子が付与された識別マークの画像の中に、受信識別マークの画像と同一の画像があるか否かを画像マッチング等の手法により判断し、同一の画像が存在する場合には、その画像の識別マークに対して付与されている識別子を求めてその識別子を受信識別マークが付された生化学解析用ユニットの識別子として取得し、同一の画像が存在しない場合には、新たに識別子を生成してその識別子を受信識別マークに付与すると共にその受信識別マークが付された生化学解析用ユニットの識別子として取得する識別子取得機能と、この取得した識別子とともに、スポッタ２にスポット条件、ハイブリダイズ装置３にハイブリダイズ条件、ケミルミ・リアクタ４に発光条件、検出装置５に検出条件をそれぞれ送信する処理条件送信手段とを有するものである。
【００３４】
次いで、本実施の形態の生化学解析システムの動作について説明する。
【００３５】
図２に示す構造を有する基板１がスポッタ２に入るに当たって、まず、スポッタ２に設けられたＣＣＤ７は基板１に付された識別マーク１４を撮像してその画像を取得し、制御部６に送信する。制御部６は、受信した識別マーク１４の画像に基づき上述の識別子取得機能により受信識別マークが付されている生化学解析用ユニットの識別子を取得し、スポッタ２にその識別子と共に処理条件であるスポット条件を送信する。次にスポッタ２は、制御部６から識別子とともに送信されてきたスポット条件（スポット位置や特異的結合物質の種類など）に基づいて、基板１の多孔質材料１３に特異的結合物質を滴下し、生化学解析用ユニットを生成した後、識別子とともにスポット情報（処理によって生じた情報、すなわちスポッティングに要した時間等）を制御部６に送信する。
【００３６】
制御部６は、スポッタ２から送信されてきた識別マーク１４の画像、スポット条件およびスポッタ２から返送されてきたスポット情報を図示しない記憶部に対応付けて記憶させ、後の解析に供する。
【００３７】
スポッタ２によりスポットされて生成された生化学解析用ユニットは、ハイブリダイズ工程に入るが、ハイブリダイズ装置３によりハイブリダイズされる前に、ハイブリダイズ装置３に備えられたＣＣＤ８は、生化学解析用ユニットの基板１に付された識別マーク１４を撮像してその画像を取得し、制御部６に送信する。制御部６は、受信した識別マーク１４の画像に基づき上述の識別子取得機能により受信識別マークが付されている生化学解析用ユニットの識別子を取得し、ハイブリダイズ装置３にその識別子と共に処理条件であるハイブリダイズ条件を送信する。次に、生化学解析用ユニットは、ハイブリダイズ装置３により、制御部６から識別子とともに送信されてきたハイブリダイズ条件（投与するサンプルの種類、ハイブリダイズに要する時間など）に基づいてハイブリダイズされ、化学発光基質と接触させることによって化学発光を生じさせる標識物質により標識されたサンプルによりスポットが選択的に標識される。その後、ハイブリダイズ装置３は、識別子とともにハイブリダイズ情報（処理によって生じた情報、すなわちハイブリダイズに要した時間やハイブリダイズ中の温度等）を制御部６に送信する。
【００３８】
制御部６は、ハイブリダイズ装置３から送信されてきた識別マーク１４の画像、ハイブリダイズ条件およびハイブリダイズ３から返送されてきたハイブリダイズ情報を、すでに記憶されている画像および識別子のうち、同じ画像および識別子と対応して記憶されているスポット条件およびスポット情報と対応付けて、図示しない記憶部に記憶させ、後の解析に供する。
【００３９】
ハイブリダイズ装置３によりハイブリダイズ済みの生化学解析用ユニットは、次に発光工程に入るが、ケミルミ・リアクタ４において化学発光基質と接触される前に、ケミルミ・リアクタ４に供えられたＣＣＤ９は、生化学解析用ユニットの基板１に付された識別マーク１４を撮像してその画像を取得し、制御部６に送信する。制御部６は、受信した識別マーク１４の画像に基づき上述の識別子取得機能により受信識別マークが付されている生化学解析用ユニットの識別子を取得し、ケミルミ・リアクタ４にその識別子と共に処理条件である発光条件を送信する。次に、生化学解析用ユニットは、制御部６から識別子とともに送信されてきた発光条件（化学発光基質と接触させる時間など）に基づいて化学発光基質と接触され、発光を生じる。その後、ケミルミ・リアクタ４は、識別子とともに発光情報（処理によって生じた情報、すなわち化学発光基質と接触させた時間等）を制御部６に送信する。
【００４０】
制御部６は、ケミルミ・リアクタ４から送信されてきた識別マーク１４の画像、発光条件およびケミルミ・リアクタ４から送信されてきた発光情報を、すでに記憶されている画像および識別子のうち、同じ画像および識別子と対応して記憶されているスポット条件、スポット情報、ハイブリダイズ条件およびハイブリダイズ情報と対応付けて、図示しない記憶部に記憶させ、後の解析に供する。
【００４１】
ケミルミ・リアクタ４により発光済みの生化学解析用ユニットは、次に検出工程に入るが、検出装置５において発光を読み取られる前に、検出装置５に供えられたＣＣＤ１０は、生化学解析用ユニットの基板１に付された識別マーク１４を撮像してその画像を取得し、制御部６に送信する。制御部６は、受信した識別マーク１４の画像に基づき上述の識別子取得機能により受信識別マークが付されている生化学解析用ユニットの識別子を取得し、検出装置５にその識別子と共に処理条件である検出条件を送信する。次に、生化学解析用ユニットは、制御部６から識別子とともに送信されてきた検出条件（検出に要する時間など）に基づいて化学発光基質の発光した位置および発光量を光電的に読み取られる。
【００４２】
このように、本実施の形態の生化学解析システムによれば、制御部は、スポッタ、ハイブリダイズ装置、ケミルミ・リアクタ、検出装置から送信された識別マークの画像をその画像に基づいて取得した識別子とともに記憶しておき、識別子に対応する生化学解析用ユニットにおいて行われた各手段における処理条件、処理によって生じた情報を互いに関連付けて決定することができるので、どの生化学解析用ユニットにどのサンプルをどのような条件で用いたか、次工程の処理条件をどのように決定すればよいのかを正確に把握することができ、正しい解析結果を得ることができる。また生化学解析用ユニットの識別処理を制御部に集中させることにより、各処理工程においては高価なバーコードリーダー等の装置を設ける必要がなく、また生化学解析用ユニットにＩＣチップ等の記憶機能を持たせる必要がないため、安価に解析を行うことができる。
【００４３】
本実施の形態においては、スポット条件、ハイブリダイズ条件、発光条件および検出条件は制御部６が決定してそれぞれスポッタ２、ハイブリダイズ装置３、ケミルミ・リアクタ４および検出装置５に送信することとしたが、スポッタ２、ハイブリダイズ装置３、ケミルミ・リアクタ４および検出装置５が制御部６に問い合わせるようにしてもよく、またスポッタ２、ハイブリダイズ装置３、ケミルミ・リアクタ４および検出装置５が制御部６に記憶された情報に基づいてそれぞれの処理条件を決定するようにしてもよい。また、制御部６が識別マークの画像、識別子、処理条件および処理情報を記憶するデータベースは、制御部内に設けられてもよく、また独立した装置で構成されてもよい。
【００４４】
ユニットを洗浄して再利用するときの便利さおよびユニットを製造する際の容易さから、本実施の形態の生化学解析システムに用いられたユニットの基板は、その孔が貫通孔になっているが、基板主部上に複数の非貫通孔が形成され、これらの非貫通孔の凹部内に吸着性材料が充填されてなるものを用いてももちろんよい。
【００４５】
なお上記の実施の形態においては、化学発光基質と接触させることによって化学発光を生じさせる標識物質により生体由来の物質を標識することとしているが、本発明は、放射性標識物質や蛍光性標識物質により生体由来の物質を標識する場合や、生体由来の物質を抗原により標識し、化学発光基質と接触させることによって化学発光を生じさせる物質、放射性物質または蛍光性物質により標識された抗体をこの抗原に結合させた場合に、抗体を標識するこれらの物質に基づいて発光させる場合にも適用可能である。
【図面の簡単な説明】
【図１】本発明の生化学解析システムの一実施の形態を示す構成図
【図２】図１に示した生化学解析システムに用いられたユニットの基板を示す斜視図
【符号の説明】
１　基板
２　スポッタ
３　ハイブリダイズ装置
４　ケミルミ・リアクタ
５　検出措置
６　制御部
７，８，９，１０　ＣＣＤ
１１　基板主部
１２　貫通孔
１３　多孔質材料
１４　識別マーク
【図１】
2004144631.tif 000003
【図２】
2004144631.tif 000004